(57)【要約】      （修正有）【課題】着け心地を向上させることができる支持機能付きブラカップ支持構造を提供する。【解決手段】被覆部品と、収容部と、受け部品とから構成される被覆部品は、靭性を有するゴムが高温高圧で、射出成形によりブラカップの下縁弧線に合致するように一体成形される管体であり、貼り付け部と、この貼り付け部のエッジから外側へ膨出される支持部とを備える。収容部は、被覆部品の内部に形成され、被覆部品の両端を貫通して連通する。受け部品は、収容部の中に設けられ、収容部の長さに対応し、被覆部品の円弧曲率に合う。また、受け部品は、厚さが不均一な構造である。【選択図】図１
0003159320.tif 000002
【実用新案登録請求の範囲】
【請求項１】
ブラカップの下縁弧線に合致するように一体成形される靭性を有する管体であり、貼り付け部と、前記貼り付け部のエッジから外側へ膨出される支持部とを備える被覆部品と、
前記被覆部品内に形成され、前記被覆部品の両端を貫通して連通する収容部と、
前記収容部に設けられ、前記収容部の長さに対応し、前記被覆部品の円弧曲率に合う受け部品と、
から構成される支持機能付きブラカップ支持構造。
【請求項２】
前記被覆部品は、断面が人体の曲線に合う弧状に形成される請求項１に記載の支持機能付きブラカップ支持構造。
【請求項３】
前記収容部はさらに、前記収容部の一端に設けられる近胸元端と、前記収容部の他端に設けられる近腋窩端とを備える請求項１又は２に記載の支持機能付きブラカップ支持構造。
【請求項４】
前記受け部品は厚さが不均一な構造であり、前記近胸元端の内部における一部の受け部品の厚さが最も薄く、前記近腋窩端の内部における一部の受け部品の厚さが最も厚い請求項３に記載の支持機能付きブラカップ支持構造。
【請求項５】
前記収容部はさらに、前記収容部の中段に設けられる中端を備え、前記中端の内部における一部の受け部品の厚さが、前記近胸元端の内部における一部の受け部品の厚さと前記近腋窩端の内部における一部の受け部品の厚さとの間にある請求項４に記載の支持機能付きブラカップ支持構造。
【請求項６】
Ｕ字形にしており、ブラジャーの一方のブラカップの下縁に設けられる請求項１又は２に記載の支持機能付きブラカップ支持構造。
【請求項７】
前記受け部品は、鋼線、鋼片、弾性成形体やフラット鋼線でもよい請求項１又は２に記載の支持機能付きブラカップ支持構造。
【考案の詳細な説明】
【技術分野】
【０００１】
本考案は、支持機能付きブラカップ支持構造（支持具）に関し、特に、女性用の下着に適用され、女性の胸部を支え受け、着け心地及び製造工程の効率を向上させることができるブラカップ構造に関する。
【背景技術】
【０００２】
従来の女性用下着は、支え上げと定形の効果を増強させ、乳房への支持性を向上させるために、そのブラカップの下縁にブラカップの下縁の曲線と同様のワイヤーを支持素子として設置することが多い。
【０００３】
前記ワイヤーは、主に、ブラカップの底縁の布管の中に縫い込まれ、又は、布地に被覆された後ブラカップの底縁に縫着されるが、上記の何れかの方式では、女性の胸部を支持する機能を得るため、前記ワイヤーの素材が一定の剛性を備えなければならない。このため、前記ワイヤーは材質が硬く、固さや強さが硬い全然異なることなくすべて同一であり、また片状の構造の場合が多いので、着用者は胸元に異物感がしたり、乳根部が前記片状のワイヤーの側縁に前記布管を介して間接に押さえられたりするような違和感を感じ、さらに脱いだら２つのワイヤーの跡が残っていて困ることがよくある。
【０００４】
さらに、布地で前記ワイヤーを被覆してブラカップの底縁に縫着するような方式は、前記ワイヤーによるユーザへの違和感を低減させるために、前記布地の多層を重ねて被覆するプロセスを行う必要があるが、このような製造方法では、製造工程の全体から言えば、その製造工程の効率が煩雑な工程で劣化し、また、布地が所望のサイズに切り取られる際に、無駄な消耗が生じて不必要な素材の浪費にもなり、生産コストを増加させることになる。
【０００５】
従って、ユーザが違和感を感じることなく、そのセクシーな姿を自然に見せるようにし、製造工程の効率の向上及び浪費の低減に有利であるブラカップ構造をいかに開発するかは、関連メーカが取り組んでいる研究課題となる。
【考案の概要】
【考案が解決しようとする課題】
【０００６】
本考案者は、従来のブラカップ構造における、着用の時に支持素子による違和感が生じやすく、乳房組織の各部位のそれぞれの敏感度に合わせて特別な設計がなく、さらに、従来の支持素子の製造工程の効率が悪いような欠点に鑑みて、上述した既存の問題点が改善されるように、鋭意に開発を行い、試験や工夫を絶えず重ねて、ついに本考案の完成に至った。
【０００７】
本考案は、女性用の下着に適用され、女性の胸部を支え受け、着け心地及び製造工程の効率を向上させることができるブラカップ構造を提供することを主な目的とする。
【課題を解決するための手段】
【０００８】
上述した目的を達成するために、本考案にかかる支持機能付きブラカップ支持構造は、靭性を有するゴムを高温高圧で、射出成形によりブラカップの下縁弧線に合致するように一体成形される管体であり、貼り付け部と、この貼り付け部のエッジから外側へ膨出される支持部とを備える被覆部品と、前記被覆部品の内部に形成され、前記被覆部品の両端を貫通して連通する収容部と、前記収容部の中に設けられ、前記収容部の長さに対応し、前記被覆部品の円弧曲率に合う受け部品とから構成される。
本考案にかかる支持機能付きブラカップ支持構造において、前記被覆部品は、高温・高圧で射出成形によりＵ字形にしており、その曲線がブラカップの下縁の弧度に合致し、ブラジャーの一方のブラカップの下縁に設けられる。前記貼り付け部は、ユーザの体に自然快適に貼り付けられる。前記支持部は、前記被覆部品の断面が人体の曲線に合う弧状構造に形成されるように、前記貼り付け部のエッジから外側へ膨出される。また、前記支持部は、支持機能を果たすように、乳房の突出する下縁であって乳根に近い箇所に自然に密着される。また、前記ブラカップの下縁は、着け心地が最高になるように、前記支持部に沿って上へ乳房組織を完全に被覆することができる。
また、前記収容部はさらに、近胸元端と、近腋窩端とを備える。前記受け部品は、厚さが不均一な構造であり、ますます薄くなるように設計され、すなわち、前記受け部品の厚さは、近腋窩端では最も厚く、近胸元端では最も薄い。本考案にかかる支持機能付きブラカップ支持構造は、その前記受け部品の不均一な厚さの設計により、それぞれの箇所が異なる硬さや弾性係数を有する。それには、前記近腋窩端は、その中の一部の受け部品の厚さが厚いので、当該一部の受け部品及びそれと対応する一部の被覆部品の全体構造において硬さが強くて固さが最も大きいため、本考案にかかる支持機能付きブラカップ支持構造によれば、乳房組織を体の両側から中間へ押し支えることができ、強い支持効果がある。一方、前記近胸元端は、その中の一部の受け部品の厚さが薄いので、当該一部の受け部品及びそれと対応する一部の被覆部品の全体構造において硬さが弱くて弾性が大きく、着け心地のよい柔軟性が付与されるため、胸元に圧迫感がしないように本考案の支持機能付きブラカップ支持構造を胸元内側に自然快適に貼り付け、着用時の快適感を向上させ、さらにユーザが自然にそのセクシーの姿を見せるようにすることができる。
【図面の簡単な説明】
【０００９】
【図１】本考案にかかる支持機能付きブラカップ支持構造の斜視図である。
【図２】本考案にかかる支持機能付きブラカップ支持構造の断面図である。
【図３】本考案にかかる支持機能付きブラカップ支持構造が人体に貼り付けられる様子の模式図である。
【図４】本考案にかかる支持機能付きブラカップ支持構造の使用状態の模式図である。
【考案を実施するための形態】
【００１０】
以下、当業者に本考案の目的を理解させるために、図面を参照して本考案の好ましい実施形態を詳しく説明する。
【００１１】
図１及び図２に示すように、本考案にかかる支持機能付きブラカップ支持構造（１）は、靭性を有するゴムを高温高圧で、射出成形によりブラカップの下縁弧線に合致するように一体成形される管体であり、貼り付け部（１０１）と、前記貼り付け部（１０１）のエッジから外側へ膨出される支持部（１０２）とを備える被覆部品（１０）と、前記被覆部品（１０）の内部に形成され、前記被覆部品（１０）の両端を貫通して連通する収容部（１１）と、前記収容部（１１）の中に設けられ、前記収容部（１１）の長さに対応し、前記被覆部品（１０）の円弧曲率に合う受け部品（１２）とから構成される。
【００１２】
また、前記収容部（１１）はさらに、前記収容部（１１）の一端に設けられる近胸元端（１１１）と、前記収容部（１１）の他端に設けられる近腋窩端（１１２）とを備える。前記受け部品（１２）は厚さが不均一な構造であり、ますます薄くなるように設計され、すなわち、前記受け部品（１２）の近腋窩端（１１２）における厚さが最も厚く、前記受け部品（１２）の近胸元端（１１１）における厚さが最も薄い。本考案にかかる支持機能付きブラカップ支持構造（１）において、その前記受け部品（１２）の不均一な厚さの設計により、それぞれの箇所が異なる硬さや弾性係数を有する。それには、前記近腋窩端（１１２）は、その中の一部の受け部品（１２）の厚さが厚いので、当該一部の受け部品（１２）及びそれと対応する一部の被覆部品（１０）の全体構造において硬さが強くて固さが最も大きいため、本考案にかかる支持機能付きブラカップ支持構造によれば、乳房組織を体の両側から中間へ押し支えることができ、強い支持効果がある。一方、前記近胸元端（１１１）はその中における一部の受け部品（１２）の厚さが薄いので、前記一部の受け部品（１２）及びそれと対応する一部の被覆部品（１０）の全体構造において硬さが弱くて弾性が大きく、着け心地のよい柔軟性が付与されるため、胸元に圧迫感がしないように本考案の支持機能付きブラカップ支持構造を胸元内側に自然快適に貼り付け、着け心地を向上させることができる。
【００１３】
また、前記収容部（１１）は、前記収容部（１１）の中段にある中端（１１３）をさらに備え、前記受け部品（１２）の前記中端（１１３）における厚さが、前記受け部品（１２）の近胸元端（１１１）における厚さと近腋窩端（１１２）における厚さの間にあり、すなわち、前記受け部品（１２）の前記中端（１１３）における厚さが前記受け部品（１２）の近腋窩端（１１２）における厚さより小さく、且つ前記受け部品（１２）の近胸元端（１１１）における厚さより大きいので、前記中端（１１３）の内部にある前記一部の受け部品（１２）及びそれと対応する一部の被覆部品（１０）の全体構造において、硬さ及び固さも、前記近胸元端（１１１）の内部における前記一部の受け部品（１２）及びそれと対応する一部の被覆部品（１０）と前記腋窩端（１１２）内部における前記一部の受け部品（１２）及びそれと対応する一部の被覆部品（１０）との間にある。
【００１４】
図３に示すように、本考案にかかる支持機能付きブラカップ支持構造（１）における被覆部品（１０）は、高温・高圧で射出成形によりＵ字形にしており、その曲線がブラカップの下縁の弧度に合致し、ブラジャーの一方のブラカップ下縁に設けられる。
前記貼り付け部（１０１）はユーザの体に自然に貼り付けられる。前記支持部（１０２）は、前記被覆部品（１０）の断面が人体の曲線に合う弧状構造に形成されるように、前記貼り付け部（１０１）のエッジから外側へ膨出される。また、前記支持部（１０２）は、支持機能を果たすように、乳房の突出する下縁であって乳根に近い箇所に快適に密着される。また、前記ブラカップの下縁は、着け心地が最高になるように、前記支持部（１０２）に沿って上へ乳房組織を完全に被覆することができる。
また、前記受け部品（１２）は鋼線、鋼片、弾性成形体やフラット鋼線でもよい。
【００１５】
図１及び図４に示すように、本考案にかかる支持機能付きブラカップ支持構造（１）は、前記ブラカップの下縁に設けられることにより、ユーザの胸部を支えて押し上げて集中させる効果を果たす。それには、前記受け部品（１２）は、近胸元端において厚さが最も薄く且つ弾性が大きく、近腋窩端（１１２）において厚さが最も厚く且つ支持構造の強さが大きい。この支持機能付きブラカップ支持構造（１）は、ブラジャーの両側のブラカップ下縁に設けられ、乳房を集中させて押し上げて支える。このような構造の改良設計は、近胸元端（１１１）の全体構造が柔らかく、近腋窩端（１１２）の整体構造が硬い特徴を持ち、着心地が良くてユーザが自然にそのセクシーの姿を見せるようにする効果を果たすことができる。
【００１６】
さらに、従来の布地の多層を重ねてワイヤーを被覆する作製方式において、前記布地は所望の形態に合致するように切り取られる必要があるので、切り取られた後の消耗が生じるだけでなく、切り取りと被覆の工程が煩雑であるので、製造工程の効率が劣化になる。このような方式に対し、本考案にかかる被覆部品（１０）は高温高圧で射出成形する作製方式ことにより製造されるので、製造効率の大幅向上だけでなく、布の切取りによる消耗や浪費の抑制も実現できる。
【００１７】
以上の実施形態の記載に基づき、本考案に対して多様な修正や変形がありうることが明らかである。従って、本考案の添付する請求の範囲に理解しなければならず、上述した詳細な記述のほかに、本考案はまた、その他の実施形態において広く実施できる。以上は本考案の好ましい実施形態に過ぎず、本考案の請求の範囲を限定するものではないが、本考案に開示した精神を逸脱しない範囲に完成されるその他の等価の変更や修飾は、全て下記の請求の範囲に含まれるべきである。
【符号の説明】
【００１８】
１…支持機能付きブラカップ支持構造、１０…被覆部品、１０１…貼り付け部、１０２…支持部、１１…収容部、１１１…近胸元端、１１２…近腋窩端、１１３…中端、１２…受け部品
【図１】
0003159320.tif 000003
【図２】
0003159320.tif 000004
【図３】
0003159320.tif 000005
【図４】
0003159320.tif 000006
【手続補正書】
【提出日】平成22年3月12日(2010.3.12)
【手続補正１】
【補正対象書類名】実用新案登録請求の範囲
【補正対象項目名】全文
【補正方法】変更
【補正の内容】
【実用新案登録請求の範囲】
【請求項１】
ブラカップの下縁弧線に合致するように一体成形される靭性を有する管体であり、貼り付け部と、前記貼り付け部のエッジから外側へ膨出される支持部とを備える被覆部品と、
前記被覆部品内に形成され、前記被覆部品の両端を貫通して連通する収容部と、
前記収容部に設けられ、前記収容部の長さに対応し、前記被覆部品の円弧曲率に合う受け部品と、
から構成される支持機能付きブラカップ支持構造。
【請求項２】
前記被覆部品は、断面が人体の曲線に合う弧状構造に形成される請求項１に記載の支持機能付きブラカップ支持構造。
【請求項３】
前記収容部はさらに、前記収容部の一端に設けられる近胸元端と、前記収容部の他端に設けられる近腋窩端とを備える請求項１又は２に記載の支持機能付きブラカップ支持構造。
【請求項４】
前記受け部品は厚さが不均一な構造であり、前記近胸元端の内部における一部の受け部品の厚さが最も薄く、前記近腋窩端の内部における一部の受け部品の厚さが最も厚い請求項３に記載の支持機能付きブラカップ支持構造。
【請求項５】
前記収容部はさらに、前記収容部の中段に設けられる中端を備え、前記中端の内部における一部の受け部品の厚さが、前記近胸元端の内部における一部の受け部品の厚さと前記近腋窩端の内部における一部の受け部品の厚さとの間にある請求項４に記載の支持機能付きブラカップ支持構造。
【請求項６】
Ｕ字形にしており、ブラジャーの一方のブラカップの下縁に設けられる請求項１又は２に記載の支持機能付きブラカップ支持構造。
【請求項７】
前記受け部品は、鋼線、鋼片、弾性成形体又はフラット鋼線である、請求項１又は２に記載の支持機能付きブラカップ支持構造。